(57)【要約】  【課題】表示部の背後近傍位置に光源を配する必要がなく、配置制約を大幅に改善でき、また、小さな光源でも表示面積を大きくとれる表示装置を提供する。  【解決手段】光源１４からの光を導光部１５に導き、導光部１５から表示部１３に点灯表示する表示装置であって、表示部１３が左右方向で横長に形成される共に導光部１５の上部前面に配置され、導光部１５が光源１４側から表示部１３に向かって左右方向で末広がりに形成され、導光部１５の下部背面側に配置されたＬＥＤの光源１４から光を導光部１５の前面にある第１の反射面２０で反射させて、導光部１５の板面方向に導き、導光部１５の上部背面にある第２の反射面２で拡散反射させることにより、横長の表示部１３に幅広く照射させる。  【選択図】  図７
2005265929.tif 000002
【特許請求の範囲】
【請求項１】
光源からの光を導光部に導き、導光部から表示部に点灯表示する表示装置であって、前記表示部が左右方向で横長に形成され、前記導光部が光源側から表示部に向かって左右方向で末広がりに形成されたことを特徴とする表示装置。
【請求項２】
前記表示部が前記導光部の一端側の前面に配置され、前記光源が導光部の他端側の背面に配置され、前記導光部の他端側の前面に光源からの光を導光部の板面方向に反射する第１の反射面が形成されると共に、前記導光部の一端側背面に導光部の板面方向から入射した光を表示部側に反射する第２の反射面が形成されたことを特徴とする請求項１に記載の表示装置。
【請求項３】
前記第２の反射面は、前記表示部の左右方向長さに対応して横長に形成されると共に、その反射面が凹凸状に形成され、第１の反射面から導かれた光を左右方向に拡散させる拡散反射面とされたことを特徴とする請求項２に記載の表示装置。
【請求項４】
前記光源が点光源とされ、前記導光部に前記光源を受ける凹状球面を有する透光性の光源受け部が形成されたことを特徴とする請求項１〜３のいずれかに記載の表示装置。
【請求項５】
前記第１の反射面が前記光源よりも左右方向に幅広に形成されたことを特徴とする請求項４に記載の表示装置。
【請求項６】
前記表示部と導光部とが一体形成されたライトパネルを備えたことを特徴とする請求項１〜５のいずれか一項に記載の表示装置。
【請求項７】
前記表示部、導光部および受け部が一体形成されたライトパネルを備えたことを特徴とする請求項１〜５のいずれか一項に記載の表示装置。
【請求項８】
前記ライトパネルに光源およびその付属部品を取り付ける光源取付部、および／または前記ライトパネルを他の部材に取り付けるためのパネル取付部が一体形成されたことを特徴とする請求項６又は７に記載の表示装置。
【請求項９】
前記導光部が前記光源取付部およびパネル取付部よりも肉厚に形成されたことを特徴とする請求項８に記載の表示装置。
【発明の詳細な説明】
【技術分野】
【０００１】
本発明は、冷房、暖房、あるいは空気浄化を行う空気調和機や空気清浄機などの空気調節装置の運転状態等を表示する表示装置に関するものである。
【背景技術】
【０００２】
これらの運転状態は、前面の表示板を背面側のＬＥＤなどの光源を点灯することにより表示できるようになっている。このような表示装置として、特許文献１には、基板上に取り付けられたＬＥＤの前方に透光性を有する拡散板を配置し、さらに、その前方には平面状の点灯表示板を配置し、ＬＥＤからの光を拡散板を通過させることによって散乱させ、点灯表示板の輝度を均一にする手法が開示されている。
【０００３】
また、特許文献２には、液晶表示板の裏面側に側面視喫型の導光板を配設し、導光板の裏面を傾斜角度の異なる２つの斜面とし、導光板の厚肉部側にホルダーによって保持されたＬＥＤを配置した構成が開示されている。
【特許文献１】特開平１０−３９７９５号公報
【特許文献２】実開平６−３６００１号公報
【発明の開示】
【発明が解決しようとする課題】
【０００４】
しかしながら、上記従来の構成では、スペースの制約等によりＬＥＤ等の光源を表示部の背後に配置できない場合や、ＬＥＤ等の光源を表示部から離さざるを得ない場合等には配置が困難となるといった問題があった。
【０００５】
また、表示板の背後にＬＥＤを配置すると、表示板の大きさが小さくなり、点灯表示自体が判り難いという問題もあった。
【０００６】
本発明は、上記課題に鑑み、表示部の背後近傍位置に光源を配する必要がなく、配置制約を大幅に改善でき、また、小さな光源でも表示面積を大きくとれる表示装置の提供を目的としている。
【課題を解決するための手段】
【０００７】
上記目的を達成するため、本発明は、光源からの光を導光部に導き、導光部から表示部に点灯表示する表示装置であって、前記表示部が左右方向で横長に形成され、前記導光部が光源側から表示部に向かって左右方向で末広がりに形成されたことを特徴としている。
【０００８】
上記構成においては、導光部を光源側から表示部に向かって末広がりに形成しているので、光源と表示部との距離が離されていても、光源から出た光を左右方向で横長の表示部に導いて、横長の表示部全体に判りやすく点灯表示することができる。
【０００９】
この場合の光源、導光部および表示部の配置は特に限定されるものではないが、表示部を導光部の一端側の前面に配置し、光源を導光部の他端側の背面に配置する構成が例示できる。この場合、導光部の他端側の前面に光源からの光を導光部の板面方向に反射する第１の反射面を形成し、導光部の一端側背面に導光部の板面方向から入射した光を表示部側に反射する第２の反射面を形成すれば、光源の光軸と表示部とが偏位していても表示部の背後から導光部の板面方向に光線を導くことができ、スペースの制約により光源を表示部の背後に配置できない場合や、光源を表示部から離さざるを得ない場合にも対応することができる。
【００１０】
また、導光部からの入射した光を表示部側に反射する第２の反射面は、表示部の左右方向長さに対応して横長に形成することができる。この場合、さらに第２の反射面を凹凸状に形成して入射した光を左右方向に拡散させる拡散反射面とすることができる。これにより、左右方向に横長の表示部に対して、導光部から入射した光を左右方向に拡散して表示部全体にわたり、均一な点灯表示を行うことができる。
【００１１】
第２の反射面を凹凸状に形成するには、第２の反射面にシボ加工を施したり、凹凸状の印刷を施したり、あるいは拡散反射テープを貼り付けるなど、種々の方法を採用することができる。
【００１２】
ここで、光源は、その個数を特に限定するものではないが、スペースやコストを考慮すれば単数の光源を用いるのが好ましい。また、光源も、白熱灯やＬＥＤのいずれを採用してもよいが、消費電力、耐久性を考慮すれば、ＬＥＤを用いたものが好適である。
【００１３】
また、単数の光源を用いた場合、光源は点光源となるが、導光部に光源を受ける凹状球面を有する透光性の光源受け部を形成し、この光源受け部を通過する光を凹状球面によって拡散させて導光部に導くようにすることができる。これにより、導光部に入射する光が左右方向に広がり、幅広く入光させることができる。
【００１４】
したがって、光源から入射した光を導光部の板面方向に反射する第１の反射面は、光源よりも左右方向に幅広に形成することができる。これにより、左右方向にある程度広がりをもった光を第１の反射面から反射させることができる。
【００１５】
また、本発明では、表示部と導光部とを一体形成したライトパネルを備えた構成とすることができる。さらに、表示部、導光部および受け部を一体形成したライトパネルを備えた構成とすることができる。これにより、表示装置の構成を簡略化することができる。
【００１６】
また、ライトパネルに光源およびその付属部品を取り付ける光源取付部、および／またはライトパネルを他の部材に取り付けるためのパネル取付部を一体形成することができる。これにより、表示装置は、ライトパネルと光源およびその付属部品とからなる簡単な構成とすることができる。
【００１７】
ライトパネルは、透光性の導光部を備えることになるので、ガラスや樹脂などの透光性材料で形成されることになる。そこで、光源取付部やパネル取付部も含めて一体成形する場合、光源から光がこれら取付部に漏れるのを極力避け、導光部に確実に導くために、導光部を光源取付部やパネル取付部よりも肉厚に形成し、これにより、光源からの光を確実に導光部を通して表示部に導くようにすることができる。
【発明の効果】
【００１８】
以上のように、本発明によると、左右方向で横長の表示部に対して、導光部を光源側から表示部に向かって左右方向で末広がりに形成することで、光源と表示部との距離が離されていても、光源から出た光を左右方向で横長の表示部に導いて、横長の表示部全体に均一に点灯表示することができる。
【発明を実施するための最良の形態】
【００１９】
図１は本発明の実施形態である表示装置を搭載した除湿機の斜視図、図２は同じく表示装置のランプパネルを背面側からみた斜視図、図３は同じくランプパネルの背面図、図４は同じくランプパネルの正面図、図５はランプパネルの平面図、図６はランプパネルの側面図、図７はランプパネルの要部拡大縦断面図である。
【００２０】
図１において、除湿機１は、筐体２の内部に、図示しない圧縮機、蒸発器や凝縮器および送風機が内蔵され、背面に背面吸込み口（図示せず）が、前面パネル部３にルーバ付きの前面吹出口４が形成され、筐体２の上面操作部５にある運転スイッチ（図示略）のＯＮ動作により、背面吸込口から吸込まれた空気が、蒸発器や凝縮器を個々に通過して、乾燥された空気と僅かに温められた空気とが前面吹出口４から吹出されるようになっている。
【００２１】
筐体２の側面下部には、背面吸込口から吸込んだ空気が蒸発器で熱交換されて発生したドレン水を貯めるための排水タンク６が取り外し自在に収容されている。また、図示しないが、筐体内部の空気流通路にはイオン発生装置（図示略）が内蔵されており、操作部５のイオン発生スイッチ（図示略）をＯＮすることにより、前面吹出口４から正負のイオンを含んだ乾燥空気が吹き出すようになっている。
【００２２】
本実施形態における表示装置１０は、このイオン発生装置の運転状態を表示するためのものであって、図２に示すように、前面パネル部３の裏面に取り付けられたランプパネル１１とランプ基板１２とを備え、ランプパネル１１の表示部１３が前面吹出口４の下側開口縁に沿って左右方向に横長に配置され、前方からイオン発生装置の駆動状態を点灯表示できるようになっている。
【００２３】
ランプパネル１１は、透光性を有するポリカーボネートあるいはアクリル系樹脂などの合成樹脂を採用したものであって、前記表示部１３と、該表示部に光源１４からの光Ａを導く導光部１５と、光源１４を受ける光源受け部１６とを備えている。そして、ランプパネル１１の表面側の形状は、前面パネル部３の形状に合せて左右方向に僅かに湾曲状に形成されている。
【００２４】
表示部１３は、前述のとおり、前面吹出口４の下側開口縁に沿って点灯表示できるように、左右方向で横長に形成されており、表示部１３の下側が前面吹出口４の下側開口縁に係止できるように、前側に突出する断面三角形状に形成され、その前面が表示面とされている。
【００２５】
導光部１５は、表示部１３よりも下方に位置する光源１４からの光を表示部１３に導くために、光源１４側から表示部１３に向かって左右方向で末広がりに形成され、また、光源１４からの光を確実に表示部１３に導くために、後述する光源取付部１７やパネル取付部１８に対して約２倍の肉厚に形成されている。
【００２６】
さらに詳述すると、導光部１５は、板状に形成されたものであって、下部背面に光源１４を配置する正面視で下辺よりも上辺側が横長の逆台形状の第１の導光部１５ａと、第１の導光部１５ａの上辺に連続して前記表示部１３の裏面側に表示部１３の左右長さに対応して配置された第２の導光部１５ｂとから構成されている。そして、第１の導光部１５ａの下側背面部には前記受け部１６が配置され、該受け部１６と対応する第１の導光部１５ａの前面に光源１４からの光Ａを第１の導光部１５ａの板面方向に反射する第１の反射面２０が形成される。また、第２の導光部１５ｂの背面には第１の導光部１５ａの板面方向から入射した光Ａを表示部１３側に反射する第２の反射面２１が形成されている。
【００２７】
第１の反射面２０は、図７に示すように、ランプパネル１１の前面の一部を横三角柱状に切欠き、その斜面部を反射面とするもので、第１の導光部１５ａの背面に配置する光源１４の径よりも左右方向に横長に形成されている。
【００２８】
一方、第２の反射面２１は、表示部１３の左右方向長さに対応して横長に形成され、さらに、その反射面がシボ加工により凹凸状に形成され、第２の反射面２１に入射した光Ａを左右方向に拡散させる拡散反射面２２とされ、横長の表示部全体にわたり、均一な点灯表示を行うことができるようになっている。図２において、斜線部は拡散反射面２２を示すものである。
【００２９】
また、光源１４を受ける光源受け部１６は、第１の導光部１５ａの背面下部の中央位置に筒状に形成配置され、その内面は円錐状に形成されると共に先端（第１反射面側）が凹状球面に形成され、光源１４から発光された光Ａをそのレンズ効果により第１の導光部１５ａから第１の反射面２０側に左右方向で幅広に発光できるようにしている。
【００３０】
また、ランプ基板１２は、単数の光源１４と、抵抗などの付属部品を搭載したプリント基板２３とを備えている。光源１４は、青色発光ダイオードなどのＬＥＤを樹脂モールドして構成されており、その光軸が導光部１５の背面に垂直方向から入射できるように設定されている。
【００３１】
また、ライトパネル１１には、導光部１５の下側にランプ基板１２を取り付けるための光源取付部１７が一体成形される。光源取付部１７は、水平部とその先端の垂直当て部とから逆Ｌ字形に形成されたもので、筒状の受け部１６とほぼ同寸法の長さで導光部１５よりも背面側に突出している。この垂直当て部にはプリント基板２３を係止する受け片２４が形成されると共に、ビス２５止め用の孔２６が形成されている。
【００３２】
また、第１の導光部１５ａの左右両側には、筐体２の前面パネル部３に取り付けるためのパネル取付部１８が形成されている。このパネル取付部１８は、前面パネル部３の背面側から突出する係止爪（図示略）を係脱自在に受ける係止受け部１８ａと、そのさらに外側に配置され前面パネル部３にライトパネル１１をビス留めするビス止め部１８ｂとを備えている。
【００３３】
これらの光源取付部１７およびパネル取付部１８は、ライトパネル１１と一体的に成形される板状部２７に形成されるが、その板厚は前述のとおり導光部１５の板厚に比べて薄肉（約１／２）に形成されている。
【００３４】
上記構成において、ＬＥＤの光源１４が発光すると、その光はランプパネル１１の表面に対して、垂直方向に侵入し、ランプパネル１１の傾斜面となっている第１の反射面２０で反射して第１の導光部１５ａの内部を板面方向に進行して透過し、上方の第２の反射面２１の拡散反射面２２で乱反射して表面側の横長の表示部１３で照射する。
【００３５】
このとき、導光部１５を光源側から表示部に向かって末広がりに形成しているので、光源１４と表示部１３との距離が離されていても、光源１４から出た光を左右方向で横長の表示部１３に導いて、横長の表示部全体を均一に照射することができる。
【００３６】
しかも、導光部１５の背面側から入射した光源の光を導光部１５の第１の反射面２０と第２の反射面２１とを介して前面の表示部１３に導くことができるので、光源１４の光軸と表示部１３とが偏位していても表示部１３の背後から導光部１５の板面方向に光線を導くことができ、スペースの制約等により光源１４を表示部１３の背後に配置できない場合や、光源１４を表示部１３から離さざるを得ない場合でも対応することができる。
【００３７】
さらに、第２の反射面２１には、シボ加工が施されて拡散反射面２２が形成されているので、光が裏面側に透過することなく、左右方向に拡散して横長の表示部１３に幅広く、かつ均一に照射することができる。
【００３８】
このように、ランプパネル１１の形状を工夫することにより、左右方向で横長で広い面積を有する表示部１３を光らせ、輝度のバラツキの少ない表示装置を提供することができる。
【００３９】
なお、本発明は、上記実施形態に限定されるものではなく、本発明の範囲内で修正・変更を加えることができるのは勿論である。例えば、上記実施形態では、除湿機の表示装置について説明したが、これに限らず、他の空気調節装置、さらには他の電気機器に本発明を適用することができる。また、上記実施形態では、光源の光を導光部１５の背面側から入射させる例を示したが、導光部の下面に光源を配置し、導光部の下面から光を入射する方式であってもよい。この場合、上記実施形態における第１の反射面は不要となる。また、上記実施形態では、単数のＬＥＤを配置した例を示したが、ＬＥＤを複数個備えた光源であってもよいことは勿論である。
【図面の簡単な説明】
【００４０】
【図１】本発明の実施形態である表示装置を搭載した除湿機の斜視図
【図２】図１の表示装置のランプパネルを背面側からみた斜視図
【図３】図２のランプパネルの背面図
【図４】図２のランプパネルの正面図
【図５】図２のランプパネルの平面図
【図６】図２のランプパネルの側面図
【図７】ランプパネルの要部拡大縦断面図
【符号の説明】
【００４１】
１    除湿機
２    筐体
３    前面パネル部
４    前面吹出口
５    操作部
１０    表示装置
１１    ランプパネル
１２    ランプ基板
１３    表示部
１４    光源
１５    導光部
１５ａ  第１の導光部
１５ｂ  第２の導光部
１６    光源受け部
１７    光源取付部
１８    パネル取付部
２０    第１の反射面
２１    第２の反射面
２２    拡散反射面
【図１】
2005265929.tif 000003
【図２】
2005265929.tif 000004
【図３】
2005265929.tif 000005
【図４】
2005265929.tif 000006
【図５】
2005265929.tif 000007
【図６】
2005265929.tif 000008
【図７】
2005265929.tif 000009